(57)【要約】【課題】施療者の好みの位置と施療の程度の設定を任意に設定できる。【解決手段】施療手段２１による施療位置が上下に移動することができるマッサージ機１である。施療手段２１による上下間の施療範囲が少なくとも２つ以上に分割されていて分割された施療範囲を選択してあらかじめ決められた動作を自動的に行って施療する施療コースを選択できる施療範囲選択手段６を設ける。選択された施療範囲毎にあらかじめ決められた施療コースにおける施療の程度を設定する施療程度設定手段１９を設ける。【選択図】図１
2006075620.tif 000002
【特許請求の範囲】
【請求項１】
施療手段による施療位置が上下に移動することができるマッサージ機であって、施療手段による上下間の施療範囲が少なくとも２つ以上に分割されており、分割された施療範囲を選択してあらかじめ決められた動作を自動的に行って施療する施療コースを選択できる施療範囲選択手段を設け、選択された施療範囲毎にあらかじめ決められた施療コースにおける施療の程度を設定する施療程度設定手段を設け、施療範囲選択手段により選択されなかった施療範囲においてはマッサージ動作を行わないように制御するための制御部を設けて成ることを特徴とするマッサージ機。
【請求項２】
施療範囲選択手段により選択されなかった施療範囲においてはマッサージ動作を行なわず、施療範囲選択手段により施療範囲が選択されたとしても、施療程度設定手段により施療程度を設定されていない施療範囲はマッサージ動作を行なわないように制御する制御部を設けて成ることを特徴とする請求項１に記載のマッサージ機。
【請求項３】
２つ以上に分割された施療範囲と程度による条件での施療コースをあらかじめ制御部にデータとして備え、施療範囲選択手段で選択された施療範囲と施療程度設定手段で設定された施療程度の条件に応じて記憶しているデータを組み合わせて１つの施療コースを設定するための施療コース設定手段を設けて成ることを特徴とする請求項１又は請求項２に記載のマッサージ機。
【請求項４】
施療範囲選択手段により分割された施療範囲の中で複数の施療範囲が選択された際に、施療程度設定手段により設定された施療の程度の重い施療範囲からマッサージ動作を始めるコースを自動的に生成する手段を設けて成ることを特徴とする請求項１〜３のいずれかに記載のマッサージ機。
【請求項５】
施療範囲の選択及び施療程度の選択方法を音声で案内するための音声再生手段を設けて成ることを特徴とする請求項１〜４のいずれかに記載のマッサージ機。
【発明の詳細な説明】
【技術分野】
【０００１】
本発明は、人体に接触する施療手段が上下に移動する手段を有するマッサージ機に関するものである。
【背景技術】
【０００２】
従来のマッサージ機においては、施療者はあらかじめ設定された施療コースのみで施療を行うため、好みに応じた施療コースを得ることができないという問題があった。
【０００３】
従来のマッサージ機の一例として特許文献１を挙げる。
【特許文献１】特開平１０−２９５７５４号公報
【発明の開示】
【発明が解決しようとする課題】
【０００４】
本発明は上記の点に鑑みてなされたものであり、施療者の好みの位置と施療の程度の設定を任意に設定でき、しかもこれらの組み合わせにより、自動的に施療コースを生成することで施療者が好みに応じた施療コースを得ることができるマッサージ機を提供することを課題とするものである。
【課題を解決するための手段】
【０００５】
上記課題を解決するために本発明に係るマッサージ機は、施療手段２１による施療位置が上下に移動することができるマッサージ機１であって、施療手段２１による上下間の施療範囲が少なくとも２つ以上に分割されており、分割された施療範囲を選択してあらかじめ決められた動作を自動的に行って施療する施療コースを選択できる施療範囲選択手段６を設け、選択された施療範囲毎にあらかじめ決められた施療コースにおける施療の程度を設定する施療程度設定手段１９を設け、施療範囲選択手段６により選択されなかった施療範囲においてはマッサージ動作を行わないように制御するための制御部２０を設けて成ることを特徴とするものである。このような構成とすることで、施療範囲選択手段６によりマッサージしたい施療範囲を選択して設定し、施療程度設定手段１９により選択された施療範囲毎に施療の程度を選択して設定することで、施療者は好みに応じた施療範囲を好みの施療程度となった施療コースでマッサージできるものである。また施療範囲選択手段６により選択されなかった施療範囲においてはマッサージ動作を行わないようにできる。
【０００６】
また施療範囲選択手段６により選択されなかった施療範囲においてはマッサージ動作を行なわず、施療範囲選択手段６により施療範囲が選択されたとしても、施療程度設定手段１９により施療程度を設定されていない施療範囲はマッサージ動作を行なわないように制御する制御部２０を設けることも好ましい。施療者が施療程度を選択していない施療範囲のマッサージをしないことで、施療者を満足させられる施療コースを生成できるものである。
【０００７】
また、２つ以上に分割された施療範囲と程度による条件での施療コースをあらかじめ制御部２０にデータとして備え、施療範囲選択手段６で選択された施療範囲と施療程度設定手段１９で設定された施療程度の条件に応じて記憶しているデータを組み合わせて１つの施療コースを設定するための施療コース設定手段２２を設けることが好ましい。このような構成とすることで、各施療範囲の条件と各施療範囲毎の施療程度の条件によりそれぞれの施療範囲における好みの施療コースを求め、この各施療範囲における好みの施療コースの組み合わせにより当該施療者に応じた一つの施療コースを生成して当該施療者の好みのマッサージが得られるものであり、また、少ないデータ量で施療者の好みに応じた多くの施療コースを生成できるものである。
【０００８】
また、施療範囲選択手段６により分割された施療範囲の中で複数の施療範囲が選択された際に、施療程度設定手段１９により設定された施療の程度の重い施療範囲からマッサージ動作を始めるコースを自動的に生成する手段を設けることが好ましい。このように施療者が程度の重いと選択した施療範囲からマッサージ動作を開始するので、施療者個々人に対応して該当する施療者に最も適した施療者を満足させられる施療コースを生成できるものである。
【０００９】
また、施療範囲の選択及び施療程度の選択方法を音声で案内するための音声再生手段１７を設けることが好ましい。このような構成とすることで、音声再生手段１７により案内される施療範囲の選択方法及び施療程度の選択方法に基づいて操作ができて簡単に施療範囲の選択及び施療程度の選択ができ、施療者を満足させられる施療コースが簡単に得られるものである。
【発明の効果】
【００１０】
本発明では、施療手段による施療位置が上下に移動することができるマッサージ機であって、施療手段による上下間の施療範囲が少なくとも２つ以上に分割されており、分割された施療範囲を選択してあらかじめ決められた動作を自動的に行って施療する施療コースを選択できる施療範囲選択手段を設け、選択された施療範囲毎にあらかじめ決められた施療コースにおける施療の程度を設定する施療程度設定手段を設けてあるので、施療者は好みに応じた施療範囲を好みの施療程度となった施療コースでマッサージでき、施療者個々人に応じた飽きのこないマッサージ感が得られるものである。また施療範囲選択手段により選択されなかった施療範囲においてはマッサージ動作を行わないようにできる。
【発明を実施するための最良の形態】
【００１１】
以下、本発明を添付図面に示す実施形態に基づいて説明する。
【００１２】
図１にはマッサージ機１の一実施形態の斜視図が示してあり、図４には制御ブロック図が示してある。図１に示すマッサージ機１は椅子型のマッサージ機の例を示しており、施療者は座部２に座って背を背もたれ部３にもたれさせると共に足載せ台４に足を載せ、施療手段２１を構成する背もたれ部３に設けた上下移動自在な施療子と足載せ台４に設けたエアーマッサージ部とにより施療者をマッサージするようになっている。上記のようなマッサージ機１において、施療手段２１による施療範囲が上下方向において２つ以上の施療範囲に分割してある。図１に示す実施形態においては施療手段２１が施療子とエアーマッサージ部とからなり、この施療子とエアーマッサージ部とからなる施療手段２１による上下間の施療範囲を５つの施療範囲（すなわち上から順に首部施療範囲Ｌ１、肩部施療範囲Ｌ２、背部施療範囲Ｌ３、腰施療範囲Ｌ４、脚部施療範囲Ｌ５）に分割してある。
【００１３】
マッサージ機１には図２に示すような操作器５が設けてあり、操作器５には上記複数に分けた施療範囲Ｌ１、Ｌ２、Ｌ３、Ｌ４、Ｌ５を選択するための施療範囲選択手段６を構成する複数のスイッチ（首部選択スイッチ６ａ、肩部選択スイッチ６ｂ、背部選択スイッチ６ｃ、腰部スイッチ６ｄ、脚部選択スイッチ６ｅ）が設けてあって、選択手段６を構成する各スイッチを選択して操作することで好みの施療範囲を選択できるようになっている。また、操作器５には上記施療範囲選択手段６により選択された施療範囲毎にあらかじめ決められた施療コースにおける施療の程度を設定するための施療程度設定手段１９が設けてある。
【００１４】
図２に示す実施形態においては、施療範囲選択手段６を構成する複数のスイッチがそれぞれ施療程度設定手段１９も兼用している。つまり、添付図面に示す実施形態においては、施療範囲選択手段６を構成する複数のスイッチ（首部選択スイッチ６ａ、肩部選択スイッチ６ｂ、背部選択スイッチ６ｃ、腰部スイッチ６ｄ、脚部選択スイッチ６ｅ）のうち任意のスイッチを１回押すと任意の施療範囲が選択されるが、この任意のスイッチを操作する（例えば押す）回数で選択された施療範囲における施療程度が選択されるものであり、操作器５に設けた決定スイッチ１４を押すことで、選択した各施療範囲（施療場所）と程度の条件により施療コースが生成され、生成された施療コースに基づいて制御部２０により施療手段２１を制御して施療者の好みに応じた自動マッサージを行うようになっている。
【００１５】
図３には程度を３段階とした場合の各施療コースの内容を示している。各施療コースは施療部位と施療手技と施療時間で内容が異なる。つまり、施療コースＡ１は首部施療範囲Ｌ１の位置で、刺激の弱い施療手技により、施療時間が1分間のコース内容である。施療コースＡ２は首部施療範囲Ｌ１の位置で、刺激の普通の施療手技により、施療時間が２分間のコース内容である。施療コースＡ３は首部施療範囲Ｌ１の位置で、刺激の強い施療手技により、施療時間が３分間のコース内容である。また、施療コースＢ１は肩部施療範囲Ｌ２の位置で、刺激の小さい施療手技により、施療時間が1分間のコース内容である。施療コースＢ２は肩部施療範囲Ｌ２の位置で、刺激の普通の施療手技により、施療時間が２分間のコース内容である。施療コースＢ３は肩部施療範囲Ｌ２の位置で、刺激の強い施療手技により、施療時間が３分間のコース内容である。また、施療コースＣ１は背部施療範囲Ｌ３の位置で、刺激の小さい施療手技により、施療時間が1分間のコース内容である。施療コースＣ２は背部施療範囲Ｌ３の位置で、刺激の普通の施療手技により、施療時間が２分間のコース内容である。施療コースＣ３は背部施療範囲Ｌ３の位置で、刺激の強い施療手技により、施療時間が３分間のコース内容である。施療コースＤ１は腰部施療範囲Ｌ４の位置で、刺激の小さい施療手技により、施療時間が1分間のコース内容である。施療コースＤ２は腰部施療範囲Ｌ４の位置で、刺激の普通の施療手技により、施療時間が２分間のコース内容である。施療コースＤ３は腰部施療範囲Ｌ４の位置で、刺激の強い施療手技により、施療時間が３分間のコース内容である。施療コースＥ１は脚部施療範囲Ｌ５の位置で、刺激の小さい施療手技により、施療時間が1分間のコース内容である。施療コースＥ２は脚部施療範囲Ｌ５の位置で、刺激の普通の施療手技により、施療時間が２分間のコース内容である。施療コースＥ３は脚部施療範囲Ｌ５の位置で、刺激の強い施療手技により、施療時間が３分間のコース内容であり、これらの各施療コースのデータが制御部２０に設けたメモリに蓄積してある。
【００１６】
そして、施療者が操作器５に設けた施療範囲選択手段６を構成する複数のスイッチ（首部選択スイッチ６ａ、肩部選択スイッチ６ｂ、背部選択スイッチ６ｃ、腰部スイッチ６ｄ、脚部選択スイッチ６ｅ）のうち好みのスイッチを押して施療範囲を選択すると共に当該スイッチの押回数を選択して当該施療範囲における施療程度を設定する。その後、決定スイッチ１４を押すことで、施療範囲選択手段で選択された施療範囲と施療程度設定手段１９で設定された施療程度の条件に応じて制御部２０に設けた施療コース設定手段２２により制御部２０に設けたメモリ内に記憶しているデータを組み合わせて１つの施療コースを生成し、このようにして生成された施療コースで施療手段２１を動作させてマッサージを行うものである。
【００１７】
施療範囲選択手段により分割された施療範囲の中で複数の施療範囲が選択された際に、施療程度設定手段１９により設定された施療の程度の重い施療範囲からマッサージ動作を始めるコースを自動的に生成する手段を設けるようにしてもよい。各施療範囲（各場所）での程度を複数段階（例えば３段階）とし、程度が軽い方を１、程度が普通を２、程度が重い方を３とすると、一例として施療者が首部選択スイッチ６ａで程度２を選択し、肩部選択スイッチ６ｂで程度３を選択し、背部選択スイッチ６ｃで程度１を選択し、腰部スイッチ６ｄで程度３を選択した時は、施療コースの順番を肩部（肩部施療範囲Ｌ２）→腰部（腰部施療範囲Ｌ４）→首部（首部施療範囲Ｌ１）→背部（背部施療範囲Ｌ２）の順番で行うものである。このとき、同じ程度のものが複数ある場合には例えば上に位置する施療範囲が優先するようにしているが、同じ程度のものが複数ある場合にどれを優先させるかは上記例にのみ限定されないものである。
【００１８】
ここで、施療範囲選択手段６により選択されなかった施療範囲においてはマッサージ動作を行わないものであるが、更に、施療範囲選択手段６により施療範囲が選択されたとしても、施療程度設定手段１９により施療程度を設定されていない施療範囲は制御部２０によりマッサージ動作を行わないように制御する。例えば、施療範囲選択手段６を構成する任意のスイッチ（例えば首部選択スイッチ６ａ）を１回しか押さなかった場合には施療範囲である首部施療範囲Ｌ１は選択されたが、程度の設定が行われていないので、首部のマッサージ動作は行わないのである。また、各施療範囲（各場所）での程度を複数段階を０、１、２、３の４段階とし、程度が０の場所においては施療を行わないようにしてもよい。この場合の程度０は、該当するスイッチを１回押した場合に施療範囲の選択、２回押すと程度０、３回押すと程度１、４回押すと程度２、５回押すと程度３となるように設定してもよく、あるいは、該当するスイッチを１回押した場合に施療範囲の選択と程度０、２回押すと程度１、３回押すと程度２、４回押すと程度３となるように設定してもよい。いずれにしても、程度０の場合には該当する施療範囲のマッサージ動作を行わないものである。
【００１９】
ところで、本発明において、施療範囲の選択及び施療程度の選択方法を音声で案内するための音声再生手段１７を設けてもよいものである。すなわち、操作器５には図５に示すようにコース選択スイッチ１６、スピーカーのような音声再生手段１７が設けてあり、施療者がコース選択スイッチ１６を押すと、音声再生手段１７から「疲れている場所はどこですか」、「スイッチを押して選んで下さい」、「押す回数でお疲れ度を選ぶことができます」という音声が再生されて施療範囲の選択方法及び施療程度の選択方法が案内されるようになっている。この音声再生手段１７により案内される施療範囲の選択方法及び施療程度の選択方法に基づいて施療者は操作器５において施療範囲選択手段６、施療程度設定手段１９を操作して好みの施療範囲を選択すると共に各施療範囲における施療程度を設定する。これが終わると、音声再生手段１７により「全て終わったら決定スイッチを押して下さい」という音声が再生されるので、決定スイッチ１４を押すと、選択した各施療範囲（施療場所）と程度の条件により施療コースが生成され、生成された施療コースに基づいて制御部２０により施療手段２１を制御して施療者の好みに応じた自動マッサージを行うのである。
【図面の簡単な説明】
【００２０】
【図１】本発明のマッサージ機の斜視図である。
【図２】同上のマッサージ機に設けた操作器の概略平面図である。
【図３】同上の複数に区分けした施療範囲と複数の程度に基づいて設定される施療コースを説明するための説明図である。
【図４】同上の制御ブロック図である。
【図５】同上のマッサージ機に設けた操作器の他の実施形態の概略平面図である。
【符号の説明】
【００２１】
１  マッサージ機
６  施療範囲選択手段
１７  音声再生手段
１９  施療程度設定手段
２０  制御部
２１  施療手段
２２  施療コース設定手段
【図１】
2006075620.tif 000003
【図２】
2006075620.tif 000004
【図３】
2006075620.tif 000005
【図４】
2006075620.tif 000006
【図５】
2006075620.tif 000007